(57)【要約】【課題】梱包される物品の形状に左右されず、添付書類の出し入れを可能とする包装材を提供する。【解決手段】包装材１は、直立姿勢に形成された正面側側面部１０と、正面側側面部１０に形成された開口部１１と、正面側側面部１０の下端部に繋がり、正面側側面部１０に直交して延びる底面部３０と、底面部３０の端部であって、正面側側面部１０とは異なる側の端部に繋がり、底面部３０に直交して直立方向に延びる第１内側面部４０と、第１内側面部４０の端部であって、底面部３０とは異なる側の端部に繋がり、第１内側面部４０に直交して正面側側面部１０に向かって延びる上面部５０と、上面部５０の端部であって、第１内側面部４０とは異なる側の端部に繋がり、上面部５０に直交して底面部３０側に向かって延び、正面側側面部１０の裏面との間に、開口部１１と導通する間隙８０を形成して、底面部３０に達する第２内側面部６０と、を備える。【選択図】図３
2010137899.tif 000002
【特許請求の範囲】
【請求項１】
物品を梱包する際に用いられる包装材であって、
直立姿勢に形成された正面側側面部（１０）と、
前記正面側側面部（１０）に形成された開口部（１１）と、
前記正面側側面部（１０）の下端部に繋がり、当該正面側側面部（１０）に直交して延びる底面部（３０）と、
前記底面部（３０）の端部であって、前記正面側側面部（１０）とは異なる側の端部に繋がり、当該底面部（３０）に直交して直立方向に延びる第１内側面部（４０）と、
前記第１内側面部（４０）の端部であって、前記底面部（３０）とは異なる側の端部に繋がり、当該第１内側面部（４０）に直交して前記正面側側面部（１０）に向かって延びる上面部（５０）と、
前記上面部（５０）の端部であって、前記第１内側面部（４０）とは異なる側の端部に繋がり、当該上面部（５０）に直交して前記底面部（３０）側に向かって延び、前記正面側側面部（１０）の裏面との間に、前記開口部（１１）と導通する間隙（８０）を形成して、前記底面部（３０）に達する第２内側面部（６０）と、
を備える包装材。
【請求項２】
１枚の包装用シート部材を折り曲げて形成され、物品を梱包する際に用いられる包装材であって、
前記包装用シート部材の一部からなり、直立姿勢とされる正面側側面部（１０）と、
前記正面側側面部（１０）に形成された開口部（１１）と、
前記正面側側面部（１０）の下端部に繋がる前記包装用シート部材が折り曲げられてなり、当該正面側側面部（１０）に直交して延びる底面部（３０）と、
前記底面部（３０）の端部であって、前記正面側側面部（１０）とは異なる側の端部に繋がる前記包装用シート部材が折り曲げられてなり、当該底面部（３０）に直交して直立方向に延びる第１内側面部（４０）と、
前記第１内側面部（４０）の端部であって、前記底面部（３０）とは異なる側の端部に繋がる前記包装用シート部材が折り曲げられてなり、当該第１内側面部（４０）に直交して前記正面側側面部（１０）に向かって延びる上面部（５０）と、
前記上面部（５０）の端部であって、前記第１内側面部（４０）とは異なる側の端部に繋がる前記包装用シート部材が折り曲げられてなり、当該上面部（５０）に直交して前記底面部（３０）側に向かって延び、前記正面側側面部（１０）の裏面との間に、前記開口部（１１）と導通する間隙（８０）を形成して、前記底面部（３０）に達する第２内側面部（６０）と、
を備える包装材。
【請求項３】
前記正面側側面部（１０）には、前記開口部（１１）を含んで、前記第２内側面部（６０）方向に向かって折れ曲がるフラップ（１２）が形成され、
前記開口部（１１）は、前記フラップ（１２）が前記第２内側面部（６０）方向に向かって折れ曲がった状態において、前記間隙（８０）の上方となる位置に形成されている請求項１又は２に記載の包装材。
【請求項４】
前記フラップ（１２）が前記第２内側面部（６０）方向に向かう折れ曲がりのために有する折れ曲がり部（１３）は、前記開口部（１１）の最下端と同じ高さ位置に形成されている請求項３に記載の包装材。
【請求項５】
前記正面側側面部（１０）における前記開口部（１１）の上方位置に、当該開口部（１１）に向かって突出させて設けられ、前記フラップ（１２）が前記第２内側面部（６０）方向に向かって折れ曲がった状態における前記開口部（１１）の上方となる位置に設けられた突出片（１４）を備える請求項３又は請求項４に記載の包装材。
【請求項６】
前記正面側側面部（１０）における前記フラップ（１２）の上部には、当該フラップ（１２）の幅に亘って拡がる穴部（１５）が設けられており、
前記突出片（１４）は前記穴部（１５）の上端縁部から垂下させて設けられ、当該突出片（１４）の下端部と、前記フラップ（１２）の上端縁部とは、予め定められた間隔を有する請求項５に記載の包装材。
【請求項７】
前記正面側面部及び前記上面部（５０）は、物品本体部と、当該物品本体部の前面側下部に設けられた１本の第１脚部と、当該物品本体部の背面側下部に設けられた２本の第２脚部とを有する前記物品において当該物品本体部の前面側下部に取り付けられて当該物品本体部を支持するものであり、
前記底面部（３０）、第１内側面部（４０）及び上面部（５０）には、前記第１脚部が収納される収納部を形成するための切り欠き（８１）が設けられている請求項１〜６のいずれか１項に記載の包装材。
【請求項８】
前記正面側側面部（１０）の両側端に繋がり、当該前記正面側側面部（１０）と直交して、前記第２内側面部（６０）の左右両端と結合する側面側側面部（７０）を備える請求項１〜７のいずれか１項に記載の包装材。
【請求項９】
請求項１〜８のいずれか１項に記載の包装材（１）と、
前記物品全体を包装する全体包装材（２）と、を備え、
前記全体包装材（２）は、物品本体部の前面側下部に前記包装材（１）が取り付けられた状態の前記物品を包装し、当該包装時に前記包装材（１）の前記正面側側面部（１０）における前記開口部（１１）に対向する位置に、少なくとも当該開口部（１１）の上方空間を開放させる開閉可能なフラップ（２１）が設けられている梱包材。
【請求項１０】
請求項１〜８のいずれか１項に記載の包装材（１）と、
前記物品全体を包装する全体包装材（２）と、を備え、
前記全体包装材（２）は、物品本体部の前面側下部に前記包装材（１）が取り付けられた状態の前記物品を包装し、当該包装時に前記包装材（１）の前記正面側側面部（１０）における前記開口部（１１）に対向する位置に、少なくとも当該開口部（１１）の上方空間を開放させる開口が設けられている梱包材。
【発明の詳細な説明】
【技術分野】
【０００１】
本発明は、物品の包装材及び梱包材に関し、特に、物品を梱包する際に当該物品とともに添付される添付書類の収納に好適な包装材及び梱包材に関する。
【背景技術】
【０００２】
電気機器等の物品が例えば段ボール箱等の梱包材に梱包される際には、通常は、該物品とともに当該物品に関する据付説明書、取扱説明書等の添付書類も一緒に梱包される。前記添付書類は、前記物品内部のすき間に収納されたり、例えばポリ袋に収納されてテープ等で該物品に貼付されたりして梱包されることが多い。しかしながら、このような従来の添付方法には以下のような問題点があった。
【０００３】
前記物品内部のすき間に添付書類が収納される場合は、当該添付書類を開梱前に取り出すことができない。また、前記物品が開口部をもたない形状の場合、内部のすき間に添付書類を収納することさえできない。
【０００４】
前記添付書類が前記物品にテープで貼付される場合も、やはり当該添付書類を開梱前に取り出すことができない。前記物品は、例えばポリエチレン製の製品カバーに覆われて梱包されているので、前記添付書類は当該製品カバーの内側になるからである。また、テープ貼付け工程が必ず発生するので、当該工程に要する時間的コスト、および、テープ等の資材に要する金銭的コストを生じていた。
【０００５】
前記添付書類には、前記物品の流通過程において、例えば、販売店において購入日や購入店名を記入する必要がある保証書のように、最終需要者に当該物品を引き渡す前に使用される書類も存在する。このような書類を取り出すためには、梱包を解く必要があり、不都合を生じていた。
【０００６】
このような問題点を解決するものとして、例えば特許文献１及び２に記載されているような梱包装置が知られている。これらの梱包装置によれば、添付書類を容易に外箱外に引き出すことができ、かつ、引き出した後に再度外箱内へ容易に収納できる。そのため、最終需要者に当該物品を引き渡す前に使用される保証書等の書類を取り出すために、梱包を解く必要がなくなる。さらに、前記のテープ止めの工程が不要となるので、当該工程に要する時間的コスト、およびテープ等の資材に要する金銭的コストを削減できる。
【特許文献１】特開平１１−７９１６４号公報
【特許文献２】特開２００３―１３７２６６号公報
【発明の開示】
【発明が解決しようとする課題】
【０００７】
しかしながら、特許文献１及び２に記載の梱包装置には、以下の問題点が存在する。特許文献１に記載の梱包装置では、被梱包物（物品）と外箱との間の空隙に添付書類が挿入される（特許文献１  図１）。そのため、被梱包物と外箱との間のクリアランスが狭小となる形状の被梱包物が梱包される場合は、前記添付書類の挿入が困難となる。
【０００８】
特許文献２に記載の梱包装置では、添付書類は、その上端を前記把手穴から臨ませた状態で、外箱と被梱包物との間に位置する緩衝体内部に収納されることになる。前記緩衝体は、梱包された物品の外箱内部での移動を規制するための部材であり、物品の荷重を支える支持機能は有していない。したがって、当該支持機能が必要とされる包装材には適用できなかった。しかしながら、このような包装材についても、添付書類を容易に引き出すことができ、かつ、引き出した後に容易に再度収納できるようにすることが好ましい。
【０００９】
本発明は、このような従来の問題点に鑑みてなされたものであり、梱包される物品の形状に左右されずに、物品の梱包状態を解くことなく添付書類の出し入れを可能とし、かつ、当該物品の荷重を支える支持機能を有する包装材及び梱包材を提供することを目的とする。
【課題を解決するための手段】
【００１０】
本発明の請求項１に係る包装材は、物品を梱包する際に用いられる包装材であって、直立姿勢に形成された正面側側面部と、前記正面側側面部に形成された開口部と、前記正面側側面部の下端部に繋がり、当該正面側側面部に直交して延びる底面部と、前記底面部の端部であって、前記正面側側面部とは異なる側の端部に繋がり、当該底面部に直交して直立方向に延びる第１内側面部と、前記第１内側面部の端部であって、前記底面部とは異なる側の端部に繋がり、当該第１内側面部に直交して前記正面側側面部に向かって延びる上面部と、前記上面部の端部であって、前記第１内側面部とは異なる側の端部に繋がり、当該上面部に直交して前記底面部側に向かって延び、前記正面側側面部の裏面との間に、前記開口部と導通する間隙を形成して、前記底面部に達する第２内側面部と、を備える。
【００１１】
請求項１に係る発明によれば、前記開口部に挿入された取扱説明書や保証書等の添付書類は、その上端が開口部の上端から露出するので、物品の梱包状態を解くことなく出し入れが可能となる。したがって、例えば保証書等の最終需要者に当該物品を引き渡す前に使用される添付書類を取り出すために、梱包を解く必要がなくなる。しかも、前記添付書類を物品本体にテープ止めする工程が不要となるので、当該工程に要する時間的コストおよび金銭的コストを削減できる。
【００１２】
また、請求項１に係る発明によれば、前記添付書類は、前記正面側側面部の裏面と前記第２内側面部の間に前記開口部と導通して形成される前記間隙に収納される。すなわち前記添付書類の収納スペースが確実に確保されるので、梱包される物品によって当該添付書類の収納スペースが圧迫されて、前記添付書類の挿入が困難となるという不具合を解消できる。
【００１３】
また、請求項１に係る発明によれば、前記物品の底部を前記上面部に載置することが可能なので、直立する前記第１側面部及び前記第２内側面部が物品の荷重を受け止めることが可能となり、当該物品の荷重を支える支持機能を発揮することができる。
【００１４】
本発明の請求項２に係る包装材は、１枚の包装用シート部材を折り曲げて形成され、物品を梱包する際に用いられる包装材であって、前記包装用シート部材の一部からなり、直立姿勢とされる正面側側面部と、前記正面側側面部に形成された開口部と、前記正面側側面部の下端部に繋がる前記包装用シート部材が折り曲げられてなり、当該正面側側面部に直交して延びる底面部と、前記底面部の端部であって、前記正面側側面部とは異なる側の端部に繋がる前記包装用シート部材が折り曲げられてなり、当該底面部に直交して直立方向に延びる第１内側面部と、前記第１内側面部の端部であって、前記底面部とは異なる側の端部に繋がる前記包装用シート部材が折り曲げられてなり、当該第１内側面部に直交して前記正面側側面部に向かって延びる上面部と、前記上面部の端部であって、前記第１内側面部とは異なる側の端部に繋がる前記包装用シート部材が折り曲げられてなり、当該上面部に直交して前記底面部側に向かって延び、前記正面側側面部の裏面との間に、前記開口部と導通する間隙を形成して、前記底面部に達する第２内側面部と、を備える。
【００１５】
請求項２に係る発明によれば、前記開口部に挿入された取扱説明書や保証書等の添付書類は、その上端が開口部の上端から露出するので、物品の梱包状態を解くことなく出し入れが可能となる。したがって、例えば保証書等の最終需要者に当該物品を引き渡す前に使用される添付書類を取り出すために、梱包を解く必要がなくなる。しかも、前記添付書類を物品本体にテープ止めする工程が不要となるので、当該工程に要する時間的コストおよび金銭的コストを削減できる。
【００１６】
また、請求項２に係る発明によれば、前記添付書類は、前記正面側側面部の裏面と前記第２内側面部の間に前記開口部と導通して形成される前記間隙に収納される。すなわち前記添付書類の収納スペースが確実に確保されるので、梱包される物品によって当該添付書類の収納スペースが圧迫されて、前記添付書類の挿入が困難となるという不具合を解消できる。
【００１７】
また、請求項２に係る発明によれば、前記物品の底部を前記上面部に載置することが可能なので、直立する前記第１側面部及び前記第２内側面部が物品の荷重を受け止めることが可能となり、当該物品の荷重を支える支持機能を発揮することができる。
【００１８】
さらに、請求項２に係る発明によれば、１枚の包装用シート部材を折り曲げるだけで包装材を形成することができるので、複数のピースを、貼り合わせやステープル止め等によって結合する場合よりも簡便に包装材を組立てることができる。したがって、時間コストが削減される。さらに、複数のピースを製作する工程に要する設備が不要となるので金銭的コストも削減できる。
【００１９】
本発明の請求項３に係る包装材は、請求項１又は２に記載の包装材において、前記正面側側面部には、前記開口部を含んで、前記第２内側面部方向に向かって折れ曲がるフラップが形成され、前記開口部は、前記フラップが前記第２内側面部方向に向かって折れ曲がった状態において、前記間隙の上方となる位置に形成されている。
【００２０】
請求項３に係る発明によれば、前記開口部は、前記フラップが前記第２内側面部方向に向かって折れ曲がった状態において、前記間隙の上方となる位置に形成されている。そのため、前記添付書類を当該開口部に挿入するに際して、当該添付書類に負荷がかからない。したがって、当該添付書類を、誤って折り曲げたり破損したりすることなく、前記開口部に容易に挿入することができる。
【００２１】
本発明の請求項４に係る包装材は、請求項３に記載の包装材において、前記フラップが前記第２内側面部方向に向かう折れ曲がりのために有する折れ曲がり部は、前記開口部の最下端と同じ高さ位置に形成されている。
【００２２】
請求項４に係る発明によれば、前記フラップが前記第２内側面部方向に向かう折れ曲がりのために有する折れ曲がり部は、前記開口部の最下端と同じ高さ位置に形成されているため、組立て後の当該包装材は、上面視で前記開口部の一端が前記正面側側面部背面と一致する、すなわち前記開口部が最も前方に形成されることになるので、添付書類の収納に必要な前記空隙を最小限に抑えることができる。
【００２３】
本発明の請求項５に係る包装材は、請求項３又は４に記載の包装材において、前記正面側側面部における前記開口部の上方位置に、当該開口部に向かって突出させて設けられ、前記フラップが前記第２内側面部方向に向かって折れ曲がった状態における前記開口部の上方となる位置に設けられた突出片を備える。
【００２４】
請求項５に係る発明によれば、前記開口部下端と前記突出片とによって前記添付書類が挟持される。すなわち、前記開口部から突出して前記正面側側面部の表面から突出する当該添付書類の上端が、当該開口部の下端で屈曲することが、前記突出片によって規制される。したがって、前記添付書類が、当該突出部分で折れ曲がって破損することを防止することができる。
【００２５】
本発明の請求項６に係る包装材は、請求項５に記載の包装材において、前記正面側側面部における前記フラップの上部には、当該フラップの幅に亘って拡がる穴部が設けられており、前記突出片は前記穴部の上端縁部から垂下させて設けられ、当該突出片の下端部と、前記フラップの上端縁部とは、予め定められた間隔を有する。
【００２６】
請求項６に係る発明によれば、前記突出片の下端部と、前記フラップの上端縁部とは、予め定められた間隔を有しているため、前記フラップの上端縁部が前記突出片の下端部と接触しない。したがって、前記フラップの折り曲げを容易にすることができる。
【００２７】
本発明の請求項７に係る包装材は、請求項１〜６のいずれか１項に記載の包装材において、前記正面側側面部及び前記上面部は、物品本体部と、当該物品本体部の前面側下部に設けられた１本の第１脚部と、当該物品本体部の背面側下部に設けられた２本の第２脚部とを有する前記物品において当該物品本体部の前面側下部に取り付けられて当該物品本体部を支持するものであり、前記底面部、第１内側面部及び上面部には、前記第１脚部が収納される収納部を形成するための切り欠きが設けられている。
【００２８】
請求項７に係る発明によれば、前面側下部が１本の第１脚部のみによって支持されるため不安定であり、輸送時に緩衝効果を有する包装材によって当該前面側下部を保護する必要がある物品に上記包装材を用いることで、当該前面側下部を支持し、保護することができるとともに、前記第１脚部と前記第２脚部とによって、物品本体部と床面との間に形成される空間を有効利用して、前記添付書類を収納することができる。
【００２９】
本発明の請求項８に係る包装材は、請求項１〜７のいずれか１項に記載の包装材において、前記正面側側面部の両側端に繋がり、当該前記正面側側面部と直交して、前記第１内側面部及び前記第２内側面部の左右両端と結合する側面側側面部を備える。
【００３０】
請求項８に係る発明によれば、前記側面側側面部が補強部材として機能するので、包装材の強度を向上することができる。
【００３１】
本発明の請求項９に係る梱包材は、請求項１〜８のいずれか１項に記載の包装材と、前記物品全体を包装する全体包装材と、を備え、前記全体包装材は、物品本体部の前面側下部に前記包装材が取り付けられた状態の前記物品を包装し、当該包装時に前記包装材の前記正面側側面部における前記開口部に対向する位置に、少なくとも当該開口部の上方空間を開放させる開閉可能なフラップが設けられている。
【００３２】
本発明の請求項１０に係る梱包材は、請求項１〜８のいずれか１項に記載の包装材と、前記物品全体を包装する全体包装材と、を備え、前記全体包装材は、物品本体部の前面側下部に前記包装材が取り付けられた状態の前記物品を包装し、当該包装時に前記包装材の前記正面側側面部における前記開口部に対向する位置に、少なくとも当該開口部の上方空間を開放させる開口が設けられている。
【００３３】
請求項９又は１０に係る発明によれば、前記物品の包装時に前記包装材の前記正面側側面部における前記開口部に対向する位置で、前記全体包装材は、少なくとも前記開口部の上方空間が開放されることになる。したがって、前記物品の包装時に前記包装材が前記全体包装材で覆われた状態でも、前記開口部に挿入された前記添付書類の出し入れが可能となる。
【発明の効果】
【００３４】
本発明によれば、物品の梱包状態を解くことなく添付書類の出し入れが可能となり、添付書類を取り出すために梱包を解く必要がなくなる。したがって、前記添付書類を物品本体にテープ止めする工程が不要となるので、当該工程に要する時間的コストおよび金銭的コストを削減できる。
【００３５】
また、本発明によれば、前記添付書類の収納スペースが確実に確保されるので、梱包される物品によって当該添付書類の収納スペースが圧迫されて、前記添付書類の挿入が困難となるという不具合を解消できる。
【００３６】
さらに、本発明によれば、前記物品の底部を前記上面部に載置することで、直立する前記第１側面部及び前記第２内側面部が物品の荷重を受け止めること可能となり、当該物品の荷重を支える支持機能を発揮することができる。
【発明を実施するための最良の形態】
【００３７】
以下、図面に基づいて本発明の一実施形態に係る梱包材につき詳細に説明する。図１は、本実施形態に係る梱包材の使用状態を示す図であり、ヒートポンプ式給湯器のタンク８が包装材１によって補助的に支持されている状態を示す図である。本実施形態に係る梱包材は、上下方向に長い略直方体を呈する上記タンク８を、梱包対象の物品とする。前記梱包材は、タンク８の本体部底面を支持する。
【００３８】
タンク８は、本体部の正面側側部の下部に設けられた１本の第１脚部（図示せず）と、タンク８本体部の背面側側部の下部に設けられた２本の第２脚部（図示せず）の、計３本の脚部を有する。据え付け時のがたつきを防止するためである。第１脚部は１本のみであるので、タンク８が輸送時に側方へ倒れて、タンク本体、特に正面側側部の下部の両端角部が損傷するおそれがある。そのため、緩衝材として機能する包装材１をタンク８の本体部の正面側側部の下部に取り付け、タンク８の本体部底面を支持し保護する。包装材１が、このような機能を発揮するために必要な形状については、後に詳しく説明する。そして包装材１には、据付説明書、取扱説明書、保証書等の添付書類９を挿入する開口部１１が設けられている。
【００３９】
図２〜図４に基づいて、包装材１について以下に説明する。図２は包装材１を正面から見た斜視図である。図３は包装材１を背面から見た斜視図である。図４は組立てられる前のシート状態にある包装材１を示す展開図である。図４の実線は切断部分を示し、二点鎖線は折り曲げ部分を示す。包装材１は、１枚の包装用シート部材、例えば段ボールが図４に示す実線部分で裁断され、図４の二点鎖線部分を谷折りに折り曲げて、図４に現われている面が梱包時に内側になるように組立てられる。以降の説明において、図４に現われている面を裏面、図４に現われていない面を表面と呼ぶ。
【００４０】
まず、図２および図３に基づいて、包装材１組立後の状態の形状について説明する。包装材１は、正面側側面部１０と、底面部３０と、第１内側面部４０と、上面部５０と、第２内側面部６０と、側面側側面部７０と、を備える。正面側側面部１０は、段ボールの一端を折り曲げて直立姿勢に形成される。底面部３０は、正面側側面部１０の下端部に繋がる段ボールが折り曲げられてなり、正面側側面部１０に直交して延びる。第１内側面部４０は、底面部３０の端部であって、正面側側面部１０とは異なる側の端部に繋がる段ボールが折り曲げられてなり、底面部３０に直交して直立方向に延びる。上面部５０は、第１内側面部４０の端部であって、底面部３０とは異なる側の端部に繋がる段ボールが折り曲げられてなり、第１内側面部４０に直交して正面側側面部１０に向かって延びる。第２内側面部６０は、上面部５０の端部であって、第１内側面部４０とは異なる側の端部に繋がる段ボールが折り曲げられてなり、上面部５０に直交して底面部３０側に向かって延び、正面側側面部１０の裏面との間に間隙８０を形成して、底面部３０に達する。側面側側面部７０は、正面側側面部１０の両側端に繋がり、正面側側面部１０と直交して、第１内側面部４０及び第２内側面部６０の左右両端と結合する。正面側側面部１０と側面側側面部７０との間の稜線には、側面側側面部７０から延設され、正面側側面部１０に直交して正面側側面部１０の表面から突出する突設部７１が設けられている。
【００４１】
正面側側面部１０は、段ボールの一端を折り曲げて直立姿勢に形成される。正面側側面部１０には、略中央の位置に、左右方向に細長く延びる形状に開口部１１が形成されている。タンク８の梱包時に、開口部１１には添付書類９が挿入される。
【００４２】
正面側側面部１０にはさらに、開口部１１を含んで、第２内側面部６０方向に向かって折れ曲がるフラップ１２が形成されている。開口部１１は、フラップ１２が第２内側面部６０方向に向かって折れ曲がった状態において、間隙８０の上方となる位置に形成されている。すなわち、開口部１１と間隙８０とは導通している。そして、フラップ１２が第２内側面部６０方向に向かう折れ曲がりのために有する折れ曲がり部１３は、開口部１１の最下端と同じ高さ位置に形成されている。
【００４３】
フラップ１２が第２内側面部６０方向に向かって折れ曲がった状態において、間隙８０の上方となる位置に開口部１１が形成されているので、添付書類９を開口部１１に挿入するに際して、添付書類９に負荷がかからない。したがって、添付書類９を、誤って折り曲げたり破損したりすることなく、開口部１１に容易に挿入することができる。
【００４４】
さらに、折れ曲がり部１３は、開口部１１の最下端と同じ高さ位置に形成されているので、折れ曲がり部１３の長さを短くすることができる。したがって、フラップ１２の折り曲げに必要な力が少なくなるので、フラップ１２の折り曲げを容易にすることができる。また、上面視で開口部１１の一端が正面側側面部１０背面と一致する、すなわち開口部１１が最も前方に形成されることになるので、添付書類９の収納に必要な間隙８０を最小限に抑えることができる。
【００４５】
フラップ１２の上部には、フラップ１２の幅に亘って拡がる穴部１５が設けられ、穴部１５の上端縁部から垂下させて突出片１４が設けられている。すなわち、突出片１４は、開口部１１に向かって突出し、フラップ１２が第２内側面部６０方向に向かって折れ曲がった状態における開口部１１の上方となる位置に設けられることになる。さらに、突出片１４の下端部とフラップ１２の上端縁部とが、予め定められた間隔を有するように穴部１５が形成されている。
【００４６】
このような位置関係にフラップ１２、突出片１４、および穴部１５が形成されているので、開口部１１下端と突出片１４とによって添付書類９が挟持される。すなわち、開口部１１から突出して正面側側面部１０の表面から突出する添付書類９の上端が、開口部１１の下端で屈曲することが、突出片１４によって規制される。したがって、添付書類９が、当該突出部分で折れ曲がって破損することを防止することができる。しかも、突出片１４の下端部とフラップ１２の上端縁部とは、予め定められた間隔で離間されているため、フラップ１２の上端縁部が突出片１４の下端部と接触しない。したがって、フラップ１２の折り曲げを容易にすることができる。
【００４７】
底面部３０、第１内側面部４０、上面部５０、及び第２内側面部６０は、上記の位置関係を有するように形成されるので、正面側側面部１０の裏面には、略直方体を呈する緩衝部が、間隙８０を介して形成されることになる。間隙８０は、正面側側面部１０の裏面と、第２内側面部６０との間を予め定められた距離で離隔し、開口部１１と導通する。前記距離は、タンク８の大きさに左右されずに決定することができる。添付書類９は、間隙８０に収納され、添付書類９の下端部は、正面側側面部１０の裏面から第１内側面部の間に位置し、前記の予め定められた距離を前後方向の長さとする底面部３０によって規制される。
【００４８】
すなわち、添付書類９の収納スペースが確実に確保されるので、梱包される物品（本実施形態ではタンク８）によって添付書類９の収納スペースが圧迫されて、添付書類９の挿入が困難となるという不具合は生じない。
【００４９】
前記緩衝部の中央、すなわち、底面部３０、第１内側面部４０及び上面部５０の中央には、連通する切り欠き８１が設けられている。
【００５０】
側面側側面部７０は、表側から裏側にかけて、正面側側面部接続部７０１と、第１内側面部接続部７０２と、第２内側面部接続部７０３と、が重ねられて形成される。
【００５１】
正面側側面部接続部７０１は、正面側側面部１０の両側端に繋がる段ボールが折り曲げられてなる。正面側側面部接続部７０１の前端（図４の７０１１ｃに相当する）は正面側側面部１０の側端であり、後端（図４の７０１１ｂに相当する）は第１内側面部４０の表面と一致し、上端（図４の７０１１ａおよび７０１２ａに相当する）は正面側側面部１０の上端と一致し、下端は正面側側面部１０の下端、すなわち底面部３０の表面と一致する。
【００５２】
第１内側面部接続部７０２は、第１内側面部４０の両側端に繋がる段ボールが折り曲げられてなる。第１内側面部接続部７０２の前端（図４の７０２１ｃに相当する）は正面側側面部１０の背面と一致し、後端（図４の７０２１ｂに相当する）は第２内側面部６０の表面と一致し、上端（図４の７０２１ａおよび７０２２ａに相当する）は正面側側面部１０の上端と一致し、下端は正面側側面部１０の下端、すなわち底面部３０の表面と一致する。
【００５３】
第２内側面部接続部７０３は、第２内側面部６０の両側端に繋がる段ボールが折り曲げられてなる。第２内側面部接続部７０３の前端は第２内側面部６０の側端であり、後端（図４の７０３ｂに相当する）は第１内側面部４０背面と一致し、上端（図４の７０３ａに相当する）は第２内側面部６０の上端、すなわち上面部５０の表面と一致し、下端は第２内側面部６０の下端、すなわち底面部３０の表面と一致する。
【００５４】
ところで、タンク８は、その正面側側部８Ａの下端部が略矩形にそぎ落とされ、埋没部とされている。すなわち、タンク８の正面側側部８Ａの下端部は、埋没部から上に位置する正面側側部８Ａの表面に対して奥まった埋没面が形成され、前記正面側側部の表面と当該埋没面との間には、水平面が形成されている。給湯用のパイプは、前記埋没面から前方に突設され、前記水平面の下方で屈曲されて配管されることで、タンク８の本体設置スペースからはみ出さないようにされている。
【００５５】
包装材１は、梱包時にタンク８の正面側側部８Ａの下端部と床面との間に差し入れられる。包装材１の前記緩衝部がタンク８の荷重を受け止めることで、包装材１は、タンク８本体部の底面８Ｆを、タンク８の正面側側部８Ａの側で支持し保護する。梱包時における包装材１の各部とタンク８の各部、特に前記埋没部との位置関係は、例えば次の通りである。
【００５６】
タンク８の本体部は、底面８Ｆの正面側側部８Ａの側が、包装材１の上面部５０に載置される。正面側側部８Ａは、包装材１の正面側側面部１０の背面と当接する。前記水平面は、正面側側面部１０の上端と、正面側側面部接続部７０１の上端と、第１内側面部接続部７０２の上端とに当接する。前記埋没面は、第１内側面部接続部７０２の後端に当接する。タンク８の本体部の正面側側部８Ａの下部に設けられた１本の第１脚部は、切り欠き８１に納められる。
【００５７】
次に、図４の展開図に基づいて、１枚の段ボールを裁断し裁断後の段ボールを組立てて包装材１を上記形状にするために必要な裁断形状について説明する。
【００５８】
底面部３０は、シート状の段ボールの略中央に長細い矩形を呈して位置する。正面側側面部１０は、底面部３０の一方の長辺側に、当該長辺を長辺とする矩形を呈して位置する。第１内側面部４０は、底面部３０の他方の長辺側に、矩形を呈して位置する。上面部５０は、底面部３０と繋がる側とは反対側の第１内側面部４０の長辺側に、矩形を呈して位置する。第２内側面部６０は、第１内側面部４０と繋がる側とは反対側の上面部５０の長辺側に、矩形を呈して位置する。
【００５９】
正面側側面部１０には、開口部１１、フラップ１２、突出片１４、および穴部１５が形成される。開口部１１は、正面側側面部１０の略中央に位置する段ボールが、左右方向に細長く延びる長尺形状に打ち抜かれることで形成される。フラップ１２は、開口部１１の両側および上方で連通するコの字状として正面側側面部１０を裁断することで形成される。前記のコの字状に裁断された部分の両側下端を結ぶ線分（包装材１の組立て時に折れ曲がり部１３となる）は、開口部１１の下端と同じ高さとされる。穴部１５は、穴部１５の上端縁部の一部がフラップ１２方向に突出する突出片１４となるように、フラップ１２の幅に亘ってフラップ１２の上部の段ボールを打ち抜いて設けられている。さらに、穴部１５の形成において、突出片１４の下端部とフラップ１２の上端縁部とが、予め定められた間隔を有するように段ボールは打ち抜かれる。
【００６０】
底面部３０の図４における左右方向の略中心線の位置から上面部５０と第２内側面部６の結合部にかけて、図４における上下方向の略中心線方向に延びて底面部３０、第１内側面部４０及び上面部５０を連通する切り欠き８１１が段ボールを打ち抜いて設けられている。上面部５０と繋がる側とは反対側の第２内側面部６の長辺には、図４における上下方向の略中心線方向に切り欠き８１２が設けられている。また、底面部３０の図４における左右方向の略中心線上には、切り欠き８１１の左右に、図４における左右方向に細長く矩形に延びるスリット３１が形成されている。
【００６１】
正面側側面部接続部７０１は、正面側側面部１０の両方の短辺７０１１ｃ側に設けられている。正面側側面部接続部７０１は、正面側側面部１０の短辺７０１１ｃと繋がる外面部７０１１と、外面部７０１１の長辺７０１１ｃ（正面側側面部１０の短辺７０１１ｃと同一）とは反対側の辺部７０１２ｂで外面部７０１１と繋がる内面部７０１２とを備える。辺部７０１２ｂとは反対側の内面部７０１２の端部は、遊端７０１２ｃとされている。
【００６２】
図４で左右両側に位置する２つの正面側側面部接続部７０１のうち、左側に位置する正面側側面部接続部７０１の外面部７０１１と内面部７０１２と結合部は、内面部７０１２側が上方から上下方向に長い矩形に切り欠きとされている。すなわち、辺部７０１２ｂの図４において上方の延長上に位置する切り込み線７０１１ｂと、切り込み線７０１１ｂの下端から切り込み線７０１１ｂに直角に内面部７０１２方向に延びる切り込み線７０１２ｄと、切り込み線７０１２ｄの切り込み線７０１１ｂとは反対側の端部から直角に図４において上方に延びる切り込み線７０１２ｅとによって、内面部７０１２が切り欠かれることになる。
【００６３】
図４で左右両側に位置する２つの７０１１ｃ部分には、両端が外面部７０１１側に屈曲し上下方向に延びるスリット１６が正面側側面部１０の側に打ち抜かれて、突設片７１１がそれぞれ設けられている。遊端７０１２ｃには図４において突設片７１１と同一の高さかつ相同の形状に突設片７１２が設けられている。
【００６４】
さらに、図４で左右両側に位置する２つの内面部７０１２には、嵌合片７２がそれぞれ設けられている。嵌合片７２は、外面部７０１１と外面部７０１１の辺部７０１２ｂで繋がる結合部７２１と、結合部７２１の外面部７０１１と繋がる７０１２ｂ側とは反対側に一端が繋がり、他端が遊端となる嵌合部７２２とからなる。
【００６５】
結合部７２１は、外面部７０１１と内面部７０１２との境界線となる辺部７０１２ｂから、内面部７０１２に向けて直角に同一長の２本の切り込み線が裁断されて形成される。
【００６６】
嵌合部７２２は、前記の２本の切り込み線の７０１２ｂとは反対側の端部で結合部７２１と繋がって、図４における上下方向の長さが、結合部７２１の図４における上下方向よりも長い上下方向に長い矩形に形成される。嵌合部７２２の一方の長辺は前記遊端となり、他方の長辺は、その中央部で結合部７２１の一端と繋がることになる。矩形を呈する嵌合部７２２は、結合部７２１との接続部を除く外形線が、切り込み線とされて形成される。すなわち、嵌合部７２２は、結合部７２１が内面部７０１２側に延長された片部７２２２と、片部７２２２の上下方向に突出する片部７２２１および７２２３と、を備えることになる。嵌合部７２２の前記遊端側には、段ボールを打ち抜いて、当該遊端の長さを図４における上下方向の長さとする上下に細長いスリット７３が形成される。
【００６７】
第１内側面部接続部７０２は、第１内側面部４０の両短辺側に位置する。図４で右側に位置する第１内側面部接続部７０２は、第１内側面部４０と繋がる外面部７０２１と、外面部７０２１の第１内側面部４０と繋がる側とは反対側で外面部７０２１と繋がる内面部７０２２とを備える。図４で左側に位置する第１内側面部接続部７０２は、外面部７０２１のみを備える。
【００６８】
外面部７０２１の第１内側面部４０と繋がる側は、第１内側面部４０の短辺長さである。外面部７０２１の第１内側面部４０と繋がる側とは反対の側は、図４における下方にさらに突出される。
【００６９】
外面部７０２１と第１内側面部４０との連結部の略中央には、第１内側面部４０の側に、略矩形を呈する穴部である嵌合穴４１が段ボールを打ち抜いて形成されている。
【００７０】
嵌合穴４１の上下端から、第１内側面部４０の左右方向中心に向かって切り込み線が入れられ、フラップ４２が形成されている。
【００７１】
内面部７０２２は、外面部７０２１の第１内側面部４０と繋がる側の辺とは反対の辺７０２１ｃを軸として、外面部７０２１の鏡像となる形状とされている。
【００７２】
第２内側面部接続部７０３は、第１内側面部４０の両短辺側に、略矩形を呈して位置する。切り欠き８１２によって左右に分離された第２内側面部６０の長辺には、切り欠き８１２の両側に略矩形を呈する底面対向部６１がそれぞれ設けられている。第２内側面部６０と底面対向部６１との連結部の略中央には、底面対向部６１側で段ボールが打ち抜かれて、図４における左右方向に細長く矩形に延びるスリット６３が形成されている。スリット６３の図４における左右の端部から第２内側面部６０に向かって切り込み線が入れられ、突設片６２が形成される。突設片６２の図４における上下方向の幅は、段ボールの厚みよりもわずかに短くされている。
【００７３】
上記の形状に裁断された段ボール材からの包装材１の組立を以下に説明する。なお、組み立ての順序は、以下に説明する順序に限定されるものではなく、各部の位置関係が以下の説明と同一となるように組み上がる順序であれば良い。
【００７４】
まず、図４の展開図の形状に裁断された段ボール材を、図４の展開図に現われている面を上に床面において、段ボール材の一端に位置する正面側側面部１０を、隣接する底面部３０に直交させて立ち上げる。次に、図４の展開図において、正面側側面部１０とは反対側の段ボール材の他端に位置する底面対向部６１を、隣接する第２内側面部６０に直交させて立ち上げる。
【００７５】
次に、底面対向部６１と隣接する第２内側面部６０を、底面対向部６１と反対側で隣接する上面部５０に直交させて立ち上げる。次に、第２内側面部６０と隣接する上面部５０を、第２内側面部６０と反対側で隣接する第１内側面部４０に直交させて立ち上げる。次に、上面部５０と隣接する第１内側面部４０を、上面部５０と反対側で隣接する底面部３０に直交させて立ち上げる。第１内側面部４０の立ち上げと同時に、突設片６２をスリット３１に挿入する。このとき、底面対向部６１の遊端６１ｂは第１内側面部４０の裏面に当接することになる。
【００７６】
続いて、第２内側面部６０の両側端と繋がる第２内側面部接続部７０３を、第１内側面部４０の側に第２内側面部６０と直交させて折り曲げる。このとき、第２内側面部接続部７０３の遊端７０３ｂは、第１内側面部４０の裏面に当接することになる。
【００７７】
続いて、第１内側面部接続部７０２を、切り込み線７０２１ｃを軸にして、内面部７０２２の裏面が外面部７０２１の裏面と合わさるように２つ折りにする。次に、第１内側面部４０の両側端と繋がる第１内側面部接続部７０２の外面部７０２１を、正面側側面部１０の側に第１内側面部４０と直交させて折り曲げる。このとき、内面部７０２２の表面、および外面部７０２１のみからなる第１内側面部接続部７０２の裏面と、第２内側面部接続部７０３の表面とが重なり合うことになる。そして、外面部７０２１の端部７０２１ｃは、正面側側面部１０の裏面に当接することになる。
【００７８】
続いて、嵌合片７２を残して、内面部７０１２の裏面が外面部７０１１の裏面と合わさるように、正面側側面部接続部７０１の内面部７０１１を外面部７０１１の側に折り曲げる。次に、正面側側面部１０の両側端に繋がる外面部７０１１を、既に床面と直立状態にある第１内側面部接続部７０２の側に正面側側面部１０と直交させて折り曲げる。
【００７９】
このとき、第１内側面部接続部７０２の外面部７０２１の表面と、正面側側面部接続部７０１の内面部７０１２の表面と、が重なり合うことになる。そして、正面側側面部接続部７０１の内面部７０１２の遊端７０１２ｃは、正面側側面部１０の裏面に当接することになる。
【００８０】
また、このとき、突設片７１２は、スリット１６に挿入され、突設片７１１と突設片７１２とが裏面同士で重なり合い、突設部７１を形成する。突設部７１は、正面側側面部１０に直交して正面側側面部１０の表面から突出することになる。
【００８１】
続いて、側面側側面部７０の外面部７０１１の後端から外面部７０１１の表面と平行に後方に突出した状態にある嵌合片７２を次のように折り曲げる。嵌合部７２２の片部７２２１および７２２３を、第１内側面部４０の側に片部７２２２と直交させて折り曲げる。次に片部７２２２を、第１内側面部４０の側に結合部７２１と直交させて折り曲げる。次に結合部７２１を、外面部７０１１と直交させて折り曲げる。このとき、嵌合部７２２は嵌合穴４１と嵌合する。フラップ４２が設けられていることにより、嵌合部７２２と嵌合穴４１との嵌合が容易となり、しかも嵌合後の嵌合部７２２がフラップ４２の端部で規制されることで、嵌合部７２２が嵌合穴４１から外れないようになっている。
【００８２】
最後に、フラップ１２を折れ曲がり部１３で折り曲げ、正面側側面部１０の裏面側に倒して包装材１の組み立てが完成する。
【００８３】
上記のように組立てられた包装材１は、正面側側面部接続部７０１と第１内側面部接続部７０２と第２内側面部接続部７０３とが重ね合わされて、側面側側面部７０が形成される。側面側側面部７０および嵌合片７２とによって、正面側側面部１０の両側端と第１内側面部４０及び第２内側面部６０の左右両端とが結合されるので、側面側側面部７０が補強部材として機能し、包装材１の強度が向上する。すなわち、包装材１は、重量物であるタンク８の包装材として好ましい強度を確保することができる。
【００８４】
突設部７１が、正面側側面部１０に直交して正面側側面部１０の表面から突出することで、タンク８の梱包時に、タンク８の外装と全体包装材２の裏面との間には空隙が形成される。この空隙が形成されることで、タンク８の正面側側部２Ａに突設される操作パネルが梱包時に収まる空間を確保できるとともに、タンク８の輸送時あるいは保管時等にタンク８本体部への緩衝効果を得ることができる。
【００８５】
図５および図６に基づいて全体包装材２について以下に説明する。図５は、全体包装材２によってタンク８が梱包されている状態を示す図である。図６は、図５のＶＩ部の拡大図であり、図６（Ａ）は閉状態のフラップ２１を示す図、図６（Ｂ）は開状態のフラップ２１を示す図である。
【００８６】
図５に示すように、全体包装材２は、正面側側部２Ａ、側面側側部２Ｂおよび２Ｃ、背面側側部２Ｄ、ならびに天面側側部２Ｅの５面の側部を備えている。全体包装材２の底部は開放されている。タンク８は、その本体部の正面側側部８Ａの下部に包装材１が取り付けられた状態で、全体包装材２を上方から被せることで全体が包装される。
【００８７】
図６に示すように、全体包装材２には、開閉可能なフラップ２１が設けられている。フラップ２１は、タンク８の包装時に包装材１の正面側側面部１０における開口部１１に対向する位置に設けられ、開状態において開口部１１の上方空間を開放させる。全体包装材２が、フラップ２１を備えることにより、包装材１の開口部１１に挿入された添付書類９は、全体包装材２に覆われた状態でも梱包状態を解くことなく出し入れが可能となる。添付書類９の取り出しを容易にするため、フラップ２１は下端が折り曲げ部とされている。
【００８８】
また、フラップ２１の上端と当該上端に接する全体包装材２の本体部分とを跨いで、つまみ穴２２が設けられている。ユーザは、例えば、つまみ穴２２に指を通してフラップ２１の上端を手前に引くことで、フラップ２１を容易に開状態にすることができる。
【００８９】
上記実施形態によれば、開口部１１に挿入された取扱説明書や保証書等の添付書類９は、その上端が開口部１１の上端から露出するので、タンク８の梱包状態を解くことなく出し入れが可能となる。したがって、例えば保証書等の最終需要者に当該物品を引き渡す前に使用される添付書類９を取り出すために、梱包を解く必要がなくなる。しかも、添付書類９をタンク８本体にテープ止めする工程が不要となるので、当該工程に要する時間的コストおよび金銭的コストを削減できる。
【００９０】
また、上記実施形態によれば、添付書類９は、正面側側面部１０の裏面と第２内側面部６０の間に開口部１１と導通して形成される間隙８０に収納される。すなわち添付書類９の収納スペースが確実に確保されるので、梱包される物品（上記実施形態ではタンク８）によって添付書類９の収納スペースが圧迫されて、添付書類９の挿入が困難となるという不具合を解消できる。
【００９１】
さらに、上記実施形態に係る包装材１は、１枚の段ボール材を折り曲げるだけで形成することができるので、複数のピースを、貼り合わせやステープル止め等によって結合する場合よりも簡便に包装材を組立てることができる。したがって、時間コストが削減される。さらに、複数のピースを製作する工程に要する設備が不要となるので金銭的コストも削減できる。
【００９２】
以上、本発明の一実施形態に係る包装材１及び全体包装材２、並びに包装材１及び全体包装材２を備える梱包材について説明したが、本発明はこれに限定されるものではなく、例えば次のような変形実施形態を採ることもできる。
【００９３】
（１）上記実施形態では、ヒートポンプ式給湯器のタンク８が包装材１および梱包材に包装されている。しかし本発明は、包装される物品がヒートポンプ式給湯器のタンクに限られるものではなく、床面から離間して設けられた本体部を支持する必要がある物品に広く適用することができる。
【００９４】
（２）上記実施形態では、タンク８は、本体部の前面側下部に設けられた１本の第１脚部と、タンク８本体部の背面側下部に設けられた２本の第２脚部の、計３本の脚部を有する物品である。しかし本発明の包装材もしく梱包材が用いられる物品は、脚部の本数が３本の物品に限定されるものではない。脚部の本数に応じて切り欠き８１を複数設けてもよいし、側面側側面部７０を設けずに脚部の間に包装材を配置できるようにしてもよい。
【００９５】
（３）上記実施形態では、タンク８の構造に由来してより大きな荷重のかかる側を補強するために、第１内側面部接続部７０２の１つに内面部７０２２を設けているが、荷重が小さい場合には、内面部７０２２は設けないようにすることもできる。
【００９６】
（４）上記実施形態では、包装材１の開口部１１に挿入された添付書類９を、全体包装材２に覆われた状態でも梱包状態を解くことなく出し入れ可能とするために、フラップ２１を設けている。フラップ２１に換えて、タンク８の包装時に包装材１の正面側側面部１０における開口部１１に対向する位置に設けられ、少なくとも開口部１１の上方空間を開放させる開口を設けてもよい。
【００９７】
（５）上記実施形態では、つまみ穴２２は、フラップ２１の上端と当該上端に接する全体包装材２の本体部分とを跨いで設けられているが、フラップ２１につまみ穴を設けてもよい。この場合も、ユーザは、例えば、つまみ穴に指を通してフラップ２１を手前に引くことで、フラップ２１を容易に開状態にすることができる。
【図面の簡単な説明】
【００９８】
【図１】本発明の一実施形態に係る梱包材を構成する包装材の使用状態を示す図であり、タンクが当該包装材によって支持されている状態を示す図ある。
【図２】本発明の一実施形態に係る包装材を示す斜視図であり、当該包装材を正面から見た斜視図である。
【図３】本発明の一実施形態に係る包装材を示す斜視図であり、当該包装材を背面から見た斜視図である。
【図４】組立てられる前のシート状態にある本発明の一実施形態に係る包装材を示す展開図である。
【図５】本発明の一実施形態に係る梱包材を構成する全体包装材によって、タンクが梱包されている状態を示す図である。
【図６】図５に図示する全体包装材のＶＩ部の拡大図であり、（Ａ）は閉状態のフラップを示す図、（Ｂ）は開状態のフラップを示す図である。
【符号の説明】
【００９９】
１    包装材
２    全体包装材
８    タンク（物品）
１０  正面側側面部
１１  開口部
１２  フラップ
１３  折れ曲がり部
１４  突出片
１５  穴部
２１  フラップ
３０  底面部
４０  第１内側面部
５０  上面部
６０  第２内側面部
７０  側面側側面部
８０  間隙
８１  切り欠き
【図１】
2010137899.tif 000003
【図２】
2010137899.tif 000004
【図３】
2010137899.tif 000005
【図４】
2010137899.tif 000006
【図５】
2010137899.tif 000007
【図６】
2010137899.tif 000008